(57)【特許請求の範囲】
【請求項１】
シャワー吐出口を有する頭部と、他部品との接続端を備えるとともに直接手で持つことができる大きさに形成された把持部とを備え、前記頭部に、筒状の仕切りで囲まれた水質浄化材を交換可能に収容するとともにこの水質浄化材を通過し水質を浄化して吐出する浄水流路とこの浄水流路の外周に周設され前記水質浄化材を通過せずに吐出する原水流路とを形成し、前記浄水流路と前記原水流路とを切り換える流路切換弁を設け、この流路切換弁の操作機構に設けられた操作端を押しボタンに形成して前記頭部の外部に突出したことを特徴とする浄水機能付きシャワーヘッド。
【請求項２】
前記流路切換弁を前記水質浄化材の上流側に配置したことを特徴とする請求項１記載の浄水機能付きシャワーヘッド。
【請求項３】
前記流路切換弁が前記押しボタンによって交互に流路を遮断する浄水用遮断弁と原水用遮断弁とを併設した交互切換式遮断弁に形成されたことを特徴とする請求項１記載の浄水機能付きシャワーヘッド。
【請求項４】
前記交互切換式遮断弁の浄水用遮断弁と原水用遮断弁とがそれぞれ球形弁体を具備した遮断弁として形成されたことを特徴とする請求項３記載の浄水機能付きシャワーヘッド。
【請求項５】
前記頭部には前記シャワー吐出口とストレート吐出口とを併設し、前記シャワー吐出口からの吐出と前記ストレート吐出口からの吐出とを切り換える吐出切換弁を組み込んだことを特徴とする請求項１記載の浄水機能付きシャワーヘッド。
【請求項６】
前記吐出切換弁が前記頭部の外側から切換可能に形成された操作部を備えた吐出切換弁として形成されたことを特徴とする請求項５記載の浄水機能付きシャワーヘッド。
【請求項７】
前記水質浄化材の下流側で前記原水流路と前記浄水流路とを合流させ、
この合流した流路の出口の直下に前記ストレート吐出口を位置させて、前記吐出切換弁の弁体に前記ストレート吐出口を開閉させ、
かつ、前記吐出切換弁の弁体を、上面を浅い凹面とし、下面を凸面とする皿状に形成したことを特徴とする請求項４記載の浄水機能付きシャワーヘッド。
【発明の詳細な説明】
【０００１】
【発明の属する技術分野】
本発明は台所または厨房、洗面所あるいは風呂場等で用いられ、使用時に吐出する水および／または湯を浄化する能力を備えた浄水機能付きシャワーヘッドに関する。
【０００２】
【従来の技術】
従来、洗面所あるいは風呂場等で用いられる洗面装置やシャワー装置等に取り付けられ、吐出される水、湯または湯水混合水（以下、単に混合水という）の水質浄化能力を備えたシャワーヘッドには、例えば登録実用新案公報第 3007614号記載の塩素除去シャワーヘッドがあった。
この塩素除去シャワーヘッドの実施例のうち、実施例５では、ヘッド内に水質を浄化するための水質浄化材を収容し、シャワー吐出する混合水を浄水または原水に切り換えるための切換弁が設けられ、この切換弁はねじ式の移動機構によりヘッド部全体を軸方向に移動することによって浄水または原水に切り換えるようにしている。
【０００３】
〔問題点〕
このような従来のヘッド内に水質浄化材を収容した塩素除去シャワーヘッドにおいては、シャワーヘッド内に設けられる切換弁が、ねじ式の移動機構によって浄水または原水に切り換えられるため、水質を浄水または原水に切り換えるにあたっては、ねじ式の移動機構を回転してヘッド部を軸方向に移動しなければならず、操作性が悪く、迅速に浄水と原水との切換えができないという問題点があった。
【０００４】
【発明が解決しようとする課題】
本発明は、従来の技術における前記問題点を解消するためのものであり、そのために設定された技術的な課題は、押しボタン式操作機構を有する切換弁を設けて、浄水と原水との切換えを容易且つ迅速にできるようにした浄水機能付きシャワーヘッドを提供することにある。
【０００５】
【課題を解決するための手段】
前記課題を達成するため具体的に構成した本発明における請求項１に係る浄水機能付きシャワーヘッドは、シャワー吐出口を有する頭部と、他部品との接続端を備えるとともに直接手で持つことができる大きさに形成された把持部とを備え、前記頭部に、筒状の仕切りで囲まれた水質浄化材を交換可能に収容するとともにこの水質浄化材を通過し水質を浄化して吐出する浄水流路とこの浄水流路の外周に周設され前記水質浄化材を通過せずに吐出する原水流路とを形成し、前記浄水流路と前記原水流路とを切り換える流路切換弁を設け、この流路切換弁の操作機構に設けられた操作端を押しボタンに形成して前記頭部の外部に突出したことを特徴とするものである。
【０００６】
また、請求項２に係る浄水機能付きシャワーヘッドにおいては、前記流路切換弁を前記水質浄化材の上流側に配置したことを特徴とする。
また、請求項３に係る浄水機能付きシャワーヘッドにおいては、前記流路切換弁が前記押しボタンによって交互に流路を遮断する浄水用遮断弁と原水用遮断弁とを併設した交互切換式遮断弁に形成されたことを特徴とする。
また、請求項４に係る浄水機能付きシャワーヘッドにおいては、前記交互切換式遮断弁の浄水用遮断弁と原水用遮断弁とがそれぞれ球形弁体を具備した遮断弁として形成されたことを特徴とする。
【０００７】
また、請求項５に係る浄水機能付きシャワーヘッドにおいては、前記頭部には前記シャワー吐出口とストレート吐出口とを併設し、前記シャワー吐出口からの吐出と前記ストレート吐出口からの吐出とを切り換える吐出切換弁を組み込んだことを特徴とする。
また、請求項６に係る浄水機能付きシャワーヘッドにおいては、前記吐出切換弁が前記頭部の外側から流路切換可能に形成された操作部を備えた吐出切換弁として形成されたことを特徴とする。
また、請求項７に係る浄水機能付きシャワーヘッドにおいては、前記水質浄化材の下流側で前記原水流路と前記浄水流路とを合流させ、この合流した流路の出口の直下に前記ストレート吐出口を位置させて、前記吐出切換弁の弁体に前記ストレート吐出口を開閉させ、かつ、前記吐出切換弁の弁体を、上面を浅い凹面とし、下面を凸面とする皿状に形成したことを特徴とする。
【０００８】
【発明の実施の形態】
本発明における以下の実施の形態では、頭部の外面から突出した押しボタンを有する流路切換弁を設けた浄水機能付きシャワーヘッドの場合について詳細を説明する。
なお、この実施の形態は、発明の趣旨をより良く理解させるため具体的に説明するものであり、特に指定のない限り、発明内容を限定するものではない。
【０００９】
〔第１実施形態〕
〔構成〕
第１実施形態の浄水機能付きシャワーヘッドは、通常、台所の流しで湯と水とを混合して流す混合水栓に直接または間接的に接続され、押しボタン式操作部を操作することにより原水と浄水との流路を切り換える流路切換弁を水質切換弁としてヘッド部に設けたシャワーヘッドを形成する。
【００１０】
このため、浄水機能付きシャワーヘッド１００は、図１〜３の外観図に示すように、図示しない混合水栓または混合水栓に設けられたホースに取り付けできる端部を有する把持部１１０と、この把持部１１０の混合水栓接続側とは反対側の端部でシャワー吐出することができるようにした頭部１２０とを備える。
浄水機能付きシャワーヘッド１００の内部には、図４，５の全体断面図に示すように、把持部１１０の内部は空洞のままとし、頭部１２０の内部には流路切換弁（水質切換弁）１４０と、この流路切換弁１４０の下流側に収容される水質浄化材１５０と、水質浄化材１５０の下流側に配置される吐出切換弁１６０とを内蔵する。
【００１１】
把持部１１０は、中間部で頭部１２０側の筒部１１１とホース取付側の筒部１１２とに分け、これらを着脱自在かつ一体的に組み合わせることができるようにするねじ部を有する中継部１１３を設け、この中継部１１３の螺合を解除して筒部１１１と筒部１１２とを分離することにより、把持部１１０を２つに分割することができるようにし、そして、混合水栓接続側の端部には厚肉円筒状のホース接続部１１４を形成し、そのホース接続部１１４の先端部にホース取付ねじ１１５を設けて、ホースとの着脱を容易にする。
【００１２】
頭部１２０は、下端部（最下流部）にシャワープレート１３０を着脱自在に組み付け、流路切換弁１４０を内蔵し、この流路切換弁１４０の操作部材である押しボタン１４１を把持部配置側と正反対の面から突出するようにして、外部から押しボタン１４１を押圧操作するだけで浄水と原水との切換えができるようにする。
着脱自在に取付けるシャワープレート１３０にはシャワー吐出口１３０ａを形成する面の中央部にストレート吐出口１３０ｂを形成し、そのストレート吐出口１３０ｂに接続する円筒状のストレート吐出用流路形成部材１３１を立設する。
【００１３】
流路切換弁１４０の下流側には、水質浄化材１５０を収容できる空間１２０ａを形成し、水質浄化材１５０の収容空間の下流側に吐出切換弁１６０を配設するとともに、水質浄化材１５０の下流側の吐出切換弁１６０の上流側になる位置に混合水がストレート吐出用流路形成部材１３１の真上から流出するように形成した仕切板１７０を介装することによって水質浄化材１５０を交換可能に収容できるようにする。
【００１４】
吐出切換弁１６０は、操作部材である切換レバー１６１に一体に設けた弁軸１６２をシャワープレート１３０を貫通して内部に設けられた弁体１６３の端部と結合し、弁体１６３がストレート吐出用流路形成部材１３１の上端部に出入りすることにより、混合水の流路をシャワー吐出口１３０ａとストレート吐出口１３０ｂとのいずれかに分岐できるように形成する。これより、シャワープレート１３０の外部から切換レバー１６１を操作してシャワープレート１３０の内部に設けた弁体１６３を動作させて、ストレート吐出とシャワー吐出との切換えが容易にできるようになる。
【００１５】
頭部１２０の内部には、図６〜８の拡大部分断面図に示すように、流路切換弁１４０が弁座下流側に浄水側流路を形成する浄水側遮断弁１４２と、弁座下流側に原水側流路を形成する原水側遮断弁１４３との２つの遮断弁とを備え、流路切換弁１４０に形成される浄水側遮断弁１４２と原水側遮断弁１４３とは、それぞれ対応する浄水側弁座開口位置と原水側弁座開口位置とが、押しボタン１４１の移動方向に対して相対的にずれており、１つの押しボタン１４１によって同時に浄水側遮断弁１４２と原水側遮断弁１４３との２つの遮断弁が操作できるように形成されて、押しボタン１４１の押込み量によっていずれか一方の弁が閉じられるように配置される。
【００１６】
収容される水質浄化材１５０は、粒状、顆粒状あるいは繊維状等の活性炭を主成分とする吸着物質を円柱状に成形した浄化材１５１と、その浄化材１５１の両面をそれぞれ被覆するフィルタ１５２，１５２と、浄化材１５１とフィルタ１５２，１５２とを収容するケース１５３とからなり、混合水がフィルタ１５２を介して浄化材１５１の一面側から対面側に透過する時に、浮遊している微細な固形物質が濾過されるとともに水中に溶解されている化学成分が吸着される。このため、水質浄化材１５０を収容している頭部１２０では、水質浄化材１５０のケース１５３の外面側を原水流路の一部とし、ケース１５３の内部を浄水流路の一部として利用する。
【００１７】
頭部１２０では、図６〜１０に示すように、組み込まれた各別の浄水側遮断弁１４２と原水側遮断弁１４３との入口（弁入口部）側に把持部１１０の内部の空洞が連通して原水が流入するようになり、押しボタン１４１によって同時に操作される流路切換弁１４０の浄水側遮断弁１４２と原水側遮断弁１４３との下流側に形成された流路が浄水流路と原水流路とに分かれる。
浄水側遮断弁１４２の出口側流路は浄化材１５１を収容したケース１５３の内部に連通して混合水を浄化する浄水流路の一部を形成し、原水側遮断弁１４３の出口側流路は浄化材１５１を収容したケース１５３の外側に連通して浄化せずに通過する原水流路の一部を形成する。
浄水側遮断弁１４２の出口（下流）側には水質浄化材１５０のケース１５３の蓋側に形成された円筒状の入口部１５４が嵌着され、混合水が浄水側遮断弁１４２を通過した後、入口部１５４を経由して水質浄化材１５０の（上流側の）フィルタ１５２、浄化材１５１、さらに（下流側の）フィルタ１５２を通過し、この間に微細な固形物質が濾過され、化学成分が吸着される。
【００１８】
この水質浄化材１５０の下流側には、中央部に集合通過部材１７１を設けて混合水が周囲から中心部に集合してストレート吐出用流路形成部材１３１の真上から流出するように形成した仕切板１７０を配置し、この仕切板１７０に設けられた集合通過部材１７１から僅かに隙間をあけた直近の下流にはストレート吐出用流路形成部材１３１の上端に開口された入口部が位置し、集合通過部材１７１とストレート吐出用流路形成部材１３１の入口部との間の隙間に吐出切換弁１６０の弁体１６３を配置して、ストレート吐出用流路形成部材１３１の入口部外周をシャワー吐出口１３０ａの入口部にする。
【００１９】
吐出切換弁１６０は、弁体１６３を集合通過部材１７１とストレート吐出用流路形成部材１３１の入口部との間に設けられた隙間に出入り自在に形成するとともに上面を浅い凹面に形成し、切換レバー１６１の一端側には指で摘むことができる摘み部を形成するとともに他端側にはシャワー吐出口形成面を貫通して回動自在に設けられる弁軸１６２を一体に形成し、弁軸１６２のシャワー吐出口１３０ａの内側に位置する端部には弁体１６３の取付端を着脱自在に嵌着する。
【００２０】
把持部１１０の筒部１１１を一体に組付けた頭部１２０は、図１１〜１３に示すように、円筒状の上端を外側に凸な曲面により蓋をして側面１２０ｃに筒部１１１の一端部を相貫した形状に形成し、その筒部１１１が貫入した側壁には筒部１１１の内側から頭部１２０の内側に混合水が流入する開口１２０ｂを穿設し、側面１２０ｃの円筒中心に対して筒部１１１とは正反対の位置に押しボタン１４１が貫通する孔１２０ｄを穿設し、さらに、上部曲面の内側には孔１２０ｄに接近した位置から開口１２０ｂに近接した位置に至る直線状に形成した複数のリブ１２０ｅ，…，１２０ｅを突設し、このリブ１２０ｅ，…，１２０ｅの周囲を取り囲むように流路切換弁１４０における弁箱１４０ａの上部を形成する隔壁１２０ｆを形成し、その隔壁１２０ｆにより形成された弁内空間には、リブ１２０ｅ，…，１２０ｅを移動時の案内部材として弁体支持部材１４２ｂ，１４３ｂ（図７，８または図４１参照）の上面を当接するように２つの遮断弁１４２，１４３を配設する。
【００２１】
浄水側遮断弁１４２は、図７，９に示すように、押しボタン１４１の浅い押込み量で弁開となるように弁座１４４の位置が定められ、その弁座１４４を環状体に形成し、押しボタン１４１を深い押込み量の位置まで押圧すると、その環状体の孔部に上流側から鋼球等の硬い球形（ボール）に形成した弁体１４２ａで塞ぐことにより弁閉にする（図６２，６４参照）。
この浄水側遮断弁１４２では、箱型の弁体支持部材１４２ｂを形成して、その弁体支持部材１４２ｂの内部にコイルスプリング１４２ｃと弁体１４２ａとを収容し、コイルスプリング１４２ｃの押圧力によって弁体１４２ａを弁座１４４側に押し付ける。
【００２２】
原水側遮断弁１４３は、図８，１０に示すように、押しボタン１４１の浅い押込み量で弁閉となるように弁座１４５の位置が定められ、その弁座１４５を環状体に形成し、押しボタン１４１を深い押込み量の位置まで押圧すると、その環状体の孔部の上流側から鋼球等の硬い球形（ボール）に形成した弁体１４３ａを押し出させることにより弁開にする（図６３，６５参照）。
この原水側遮断弁１４３では、箱型の弁体支持部材１４３ｂを形成して、その弁体支持部材１４３ｂの内部にコイルスプリング１４３ｃと弁体１４３ａとを収容し、コイルスプリング１４３ｃの押圧力によって弁体１４３ａを弁座１４５側に押し付ける。
原水側遮断弁１４３が弁閉になる位置で止まっている場合（図８，１０）には、押しボタン１４１の押込み量が浅いため、浄水側遮断弁１４２は弁体１４２ａが弁座１４４の縁の部分で止まっている状態になり（図７，９）、環状体に形成された弁座１４４の孔部に達しないため、弁開の状態が維持される。
【００２３】
各遮断弁１４２，１４３を押しボタン１４１により操作するための操作機構は、図１４に示すように、各遮断弁１４２，１４３を収容する弁箱１４０ａの下部を形成するとともに操作機構支持枠体を形成する隔壁１８１ａと、隔壁１８１ａの底面を形成するとともに各弁座１４４，１４５を取り付ける仕切壁１８１ｂと、仕切壁１８１ｂの下流側に水質浄化材収容空間を形成する枠体１８１ｃとを一体に形成した仕切枠部材１８１と、この仕切枠部材１８１に組付けられるプッシュロッド案内部材１８２と、各弁体支持部材１４２ｂ，１４３ｂに係合して押しボタン１４１により押されたときに弁体１４２ａと弁体１４３ａとが同時に移動できるようにする２つのプッシュロッド１８３ｂ，１８３ｂを一体に設けた二連プッシュロッド１８３と、この二連プッシュロッド１８３の移動距離を変えるための３つの構成部品である切換リング１８４、第１切換こま１８５、第２切換こま１８６を組み合わせたカム機構１８７と、二連プッシュロッド１８３に押し戻し側への力を加えるコイルスプリング１８８と、プッシュロッド案内部材１８２を仕切枠部材１８１に組付ける際に取り付けられるＯリング１８９，１８９とからなる。
【００２４】
仕切枠部材１８１は、図１５〜１８に示すように、各遮断弁１４２，１４３を収容する弁箱１４０ａの下部を形成するとともに操作機構支持枠体を形成する隔壁１８１ａを上部に形成し、隔壁１８１ａの底面を形成するとともに各弁座１４４，１４５を取り付ける仕切壁１８１ｂと、この仕切壁１８１ｂの下流側に位置する下部に水質浄化材収容空間を形成する枠体１８１ｃを形成し、枠体１８１ｃの略中央部に段差部１８１ｄを設けて上部の外周を頭部１２０の内側に嵌合可能に形成し、段差部１８１ｄを頭部１２０の下端に当接する当接面とし、段差部１８１ｄの下方の外周面を頭部１２０の外周面と面一に形成し、頭部１２０に仕切枠部材１８１を一体に組み付けた場合に頭部１２０と仕切枠部材１８１との合わせ部の外面に凹凸が生じないようにする（図７，８参照）。
【００２５】
仕切枠部材１８１には、図１９〜２０に示すように、隔壁１８１ａの正面側に位置する壁面１８１ｅを平面状に形成し、その平面状壁面１８１ｅの外面側にプッシュロッド案内部材１８２を取り付けるための座１８１ｆを形成し、その座１８１ｆが形成されている範囲内に同一高さの中心位置を有する浄水用と原水用との両プッシュロッド挿通孔１８１ｇ，１８１ｈを穿設し、その各プッシュロッド挿通孔１８１ｇ，１８１ｈの穿設位置の中間位置に外面側が凹部に形成されたスプリング配置用の座となる円形凹部１８１ｉを形成する。
【００２６】
また、仕切壁１８１ｂには、図２１〜２２に示すように、浄水用と原水用との各弁座１４４，１４５を下流側から嵌合するための弁座嵌合孔１８１ｊ，１８１ｋを穿設し、その下流側の外周に弁座抑え１４６，１４７を嵌合するための弁座抑え嵌合孔１８１ｍ，１８１ｎを形成する。弁座嵌合孔１８１ｊと弁座嵌合孔１８１ｋとの中心位置は押しボタン１４１の移動方向に対して弁開と弁閉とのストロークに相当する距離の位置ずれを設け、弁座嵌合孔１８１ｊと弁座抑え嵌合孔１８１ｍとの中心は同一中心とし、弁座嵌合孔１８１ｋと弁座抑え嵌合孔１８１ｎとの中心は同一中心とする。
【００２７】
さらに、仕切枠部材１８１に設けられた段差部１８１ｄの下方の内周面には雌ねじ１８１ｏを形成して仕切板１７０に形成される上部の雄ねじ１７０ｇを螺合できるようにする。枠体１８１ｃの内部は、水質浄化材１５０を入れ、雌ねじ１８１ｏに仕切板１７０の雄ねじ１７０ｇを螺合して、仕切板１７０を取り付けるときに、水質浄化材１５０が適切に収容される容積を有するものとする。
【００２８】
プッシュロッド案内部材１８２は、図２３〜２８に示すように、プッシュロッド挿通孔１８２ａ，１８２ａを穿設した板部１８２ｂの中間部に、二連プッシュロッド１８３の有底円筒部材１８３ａを軸方向へ移動自在に内嵌するとともに切換リング１８４の円筒部１８４ａを内嵌する筒部１８２ｃを形成するとともに板部１８２ｂを貫通する孔１８２ｄを穿設し、この筒部１８２ｃの先端部の上下位置に切換リング１８４の爪部１８４ｃ，１８４ｃを係合する孔１８２ｅ，１８２ｅを穿設し、筒部１８２ｃのプッシュロッド挿通孔１８２ａ，１８２ａが穿設された側の側面には二連プッシュロッド１８３の支持部材１８３ｃ，１８３ｃが軸方向へ移動自在に通過できるようにする切欠き部１８２ｆ，１８２ｆを形成する。さらに、筒部１８２ｃの外周側には、円柱状支持部材１８２ｇ，…，１８２ｇを板部１８２ｂから立設するとともに周面を筒部１８２ｃの外周面に接着して、筒部１８２ｃの剛性を高め、曲げ強度を強くするとともにプッシュロッド移動時に二連プッシュロッド１８３に設けられた案内部材１８３ｅ，１８３ｅを側面方向の位置規制ができるようにする。また、背面側には、仕切枠部材１８１の座１８１ｆに当面するための当接面１８２ｈを形成して介装するＯリング１８９，１８９を適正に押圧できるようにする。
【００２９】
二連プッシュロッド１８３は、図２９〜３３に示すように、中央部には弁側に底部を向けた有底円筒部材１８３ａを配置し、有底円筒部材１８３ａの両脇に２つのプッシュロッド１８３ｂ，１８３ｂを配置し、２つの板状の支持部材１８３ｃ，１８３ｃにより有底円筒部材１８３ａと各プッシュロッド１８３ｂ，１８３ｂをそれぞれ所定の間隔で結合する。
【００３０】
各プッシュロッド１８３ｂ，１８３ｂの支持部材結合部の外側の端部には押しボタン１４１の側面と係合するための爪部材１８３ｄ，１８３ｄをそれぞれ端部に近接離間自在な弾力性を持たせて突出形成し、爪部材１８３ｄ，１８３ｄを設けたそれぞれの端部には各爪部材１８３ｄ，１８３ｄの突出方向に対して垂直な方向に、両プッシュロッド１８３ｂ，１８３ｂの移動方向に対するガイドをする案内部材１８３ｅ，１８３ｅ，１８３ｅ，１８３ｅを突出形成する。この各案内部材１８３ｅ，１８３ｅ，１８３ｅ，１８３ｅは押しボタン１４１のリブ１４１ｄ，１４１ｄ（図３８，３９参照）に係合して押しボタン１４１のがたつぎを防止する。さらに、各プッシュロッド１８３ｂの弁側の先端部には、上下に平面１８３ｆ，１８３ｆを形成し、平面形成位置の基部に両側面を縦方向に切り込んだ矩形溝１８３ｇ，１８３ｇを刻設する。また、有底円筒部材１８３ａの外端面の中央部にコイルスプリング１８８の横擦れ防止用の突起として円柱状の突出部１８３ｈを突設し、内端面（底面）の中央部に第１切換こま１８５の太軸部１８５ｂに形成された穴１８５ｅ（図３５参照）が嵌合する円柱状の突出部１８３ｉを突設する。
【００３１】
切換リング１８４は、図３４（Ａ），…，（Ｅ）に示すように、円筒部１８４ａの外周側に鍔部１８４ｂを設け、この鍔部１８４ｂの上下頂部にプッシュロッド案内部材１８２と係合して位置固定する爪部１８４ｃ，１８４ｃを突出し、円筒部１８４ａの内径側に溝１８４ｄを刻設する。
円筒部１８４ａの内径側に刻設する溝１８４ｄは、軸方向に浅い溝１８４ｅと軸方向に深い溝１８４ｆとが交互に刻設され、その溝が刻設されていない部分の弁配設側に位置する端面には同一方向へ傾いた傾斜面１８４ｇが形成され、当接する第１切換こま１８５に設けられたリブ１８５ｃの端部が、形成された傾斜面１８４ｇの方向に従って移動し、誘導されて、刻設された浅い溝１８４ｅと軸方向に深い溝１８４ｆとのいずれかの溝に入り込むようになる。
【００３２】
第１切換こま１８５は、図３５（Ａ），…，（Ｅ）に示すように、細軸部１８５ａと太軸部１８５ｂとに分かれ、太軸部１８５ｂに軸方向へ延びたリブ１８５ｃ，…，１８５ｃを周上等ピッチに３個立設する。各リブ１８５ｃの切換リング１８４側に位置する端部には、切換リング１８４の弁形成側の端面に設けられた傾斜面１８４ｇと同じ方向に向いて傾斜する傾斜面１８５ｄを形成する。さらに、太軸部１８５ｂの中心部に同心的に穴１８５ｅを穿設して二連プッシュロッド１８３に設けられた有底円筒部材１８３ａの内端面に突出した突出部１８３ｉに外嵌できるようにし、この太軸部１８５ｂの外周面には、リブ１８５ｃの立設箇所と反対側の位置（ 180度回転した位置）を一部切り取って平面１８５ｊを形成する。
【００３３】
第２切換こま１８６は、図３６（Ａ），…，（Ｄ）に示すように、一端には第１切換こま１８５の細軸部１８５ａが挿入され、他端には押しボタン１４１の内側中央部に突出した位置決め支持棒１４１ｅ（図３８，３９参照）が挿入される孔１８６ｂを有する円筒状の部材１８６ａに、第１切換こま１８５側に位置する端部には周上等ピッチに６個のリブ１８６ｃを立設し、リブ立設側の端部には第１切換こま１８５に設けたリブ１８５ｃの傾斜面１８５ｄを有する端部が当接する端面が傾斜した凹部１８６ｄを形成し、この凹部１８６ｄに当接した第１切換こま１８５のリブ１８５ｃが、その傾斜した凹部１８６ｄの傾斜面に沿って移動することにより、第１切換こま１８５が一定方向へ回転する。
【００３４】
押しボタン１４１は、図３７〜３９に示すように、中央部がわずかに外方に凸な膨らみを有する端部を丸めた略矩形状の正面形状と後端を直線的に切り取って開口した形状に形成した側面形状および平面形状とを有する中空部材１４１ａとし、側面には二連プッシュロッド１８３に設けられた各爪部材１８３ｄ，１８３ｄを係合するための矩形孔１４１ｂ，１４１ｂを穿設する。
中空部材１４１ａの内側には、各矩形孔１４１ｂの穿設位置から後端面に達する案内溝１４１ｃを刻設し、両側壁の内側に適当間隔をあけて各２本づつリブ１４１ｄ，…，１４１ｄを上下両内面から突出し、前壁の裏側にあたる壁面の中央部に断面形状が十文字形で外側端が円柱の外周面を形成する丸みを付けた位置決め支持棒１４１ｅを突出して、押しボタン１４１の押圧中心軸を形成し、第２切換こま１８６を嵌合して、操作機構を形成する各部材がこの押圧中心軸方向に移動できるようにする。
【００３５】
浄水側遮断弁１４２（原水側遮断弁１４３）は、図４０に示すように、球形に形成された弁体１４２ａ（１４３ａ）と、弁体１４２ａ（１４３ａ）を内部に収容して二連プッシュロッド１８３の先端に取り付けられる箱型に形成された弁体支持部材１４２ｂ（１４３ｂ）と、弁体支持部材１４２ｂ（１４３ｂ）の中に収容されて弁体１４２ａ（１４３ａ）を外方へばね付勢するコイルスプリング１４２ｃ（１４３ｃ）とからなる。
【００３６】
このうち弁体支持部材１４２ｂ（１４３ｂ）は、図４１，４２に示すように、下部を開口した有蓋円筒１４２ｄ（１４３ｄ）を形成し、その天蓋部１４２ｅ（１４３ｅ）の内部に円筒状のスプリング座１４２ｆ（１４３ｆ）を突出するとともにスプリング座１４２ｆ（１４３ｆ）の内部に相当する天蓋部１４２ｅ（１４３ｅ）の位置を開口して有蓋円筒１４２ｄ（１４３ｄ）の内外を流通自在に形成する。そして、有蓋円筒１４２ｄ（１４３ｄ）の下端部の外端部に、二連プッシュロッド１８３の先端に形成された矩形溝１８３ｇ，１８３ｇに入る幅を有する係合部１４２ｇ（１４３ｇ）を備えた横断面がＴ型溝に形成されて正面形状が門型に形成された係合部材１４２ｈ（１４３ｈ）を突設する。係合部１４２ｇ（１４３ｇ）の下端部には内側に突出する突起１４２ｉ（１４３ｉ）を設けて、二連プッシュロッド１８３の先端に取り付けた場合の抜け防止とする。また、係合部材１４２ｈ（１４３ｈ）の突設位置に対して直角方向に側面を平面に形成して移動方向に平行な面を形成する平行側面部１４２ｊ（１４２ｊ）を突設する。
【００３７】
頭部１２０の内部を仕切る仕切枠部材１８１のプッシュロッド挿通孔１８１ｇ，１８１ｈを穿設した壁面１８１ｅと、プッシュロッド案内部材１８２のプッシュロッド挿通孔１８２ａ，１８２ａを穿設した板部１８２ｂとの間には、各プッシュロッド挿通孔１８１ｇ，１８１ｈ，１８２ａ，１８２ａの穿設位置の外周にＯリング１８９，１８９を介装するとともに、各穿設位置の中間に位置する仕切枠部材１８１の壁面１８１ｅに設けられた円形凹部１８１ｉにコイルスプリング１８８を配置介装して、円形凹部１８１ｉの底部から二連プッシュロッド１８３を離間する方向へばね付勢する。
【００３８】
コイルスプリング１８８の付勢力によって二連プッシュロッド１８３が仕切枠部材１８１の壁面１８１ｅから離間する方向へ移動する場合、切換リング１８４の深い溝１８４ｆに第１切換こま１８５のリブ１８５ｃが入れば、移動を邪魔するものが何もない状態となり、二連プッシュロッド１８３の有底円筒部材１８３ａに当接している第１切換こま１８５および第２切換こま１８６が、切換リング１８４の円筒部１８４ａに刻設された深い溝１８４ｆ内を二連プッシュロッド１８３の移動方向と同じ方向へ摺動し、二連プッシュロッド１８３に設けた有底円筒部材１８３ａの開口側の端面が切換リング１８４の鍔部１８４ｂに当接して止まるまで移動する。
【００３９】
仕切枠部材１８１の仕切壁１８１ｂに設けられる弁座１４４（または１４５）は、図４３に示すように、円板の中央部に流量を規定する大きさの孔１４４ａ（１４５ａ）を穿設した環状の部材で、仕切枠部材１８１の仕切壁１８１ｂに設けられた弁座嵌合孔１８１ｊ（または１８１ｋ）に下流側から内嵌する形状と大きさとを有する外形を形成した上部１４４ｂ（１４５ｂ）と、その下方には弁座嵌合孔１８１ｊ（または１８１ｋ）の下方に形成された弁座抑え嵌合孔１８１ｍ（または１８１ｎ）に下流側から内嵌する形状と大きさとを有する外形を形成した下部１４４ｃ（または１４５ｃ）と、弁体当接面に形成した上面１４４ｄ（または１４５ｄ）と、平面に形成した下面１４４ｅ（または１４５ｅ）とを有し、下面の孔側には弁座抑え１４６（または１４７）の上部を内嵌するための拡径部１４４ｆ（または１４５ｆ）を座ぐりにより形成する。
【００４０】
浄水側の弁座抑え１４６は、図４４に示すように、弁座１４４の中央部に穿設された孔１４４ａと同じ径の孔１４６ａを穿設した環状の部材で、弁座１４４の拡径部１４４ｆに嵌合するため最上端に突出した円環状の上流側接続部１４６ｂと、上端に上流側接続部１４６ｂを突出するとともに仕切枠部材１８１の仕切壁１８１ｂに設けられた弁座抑え嵌合孔１８１ｍに内嵌する形状と大きさとを有する外形を形成した仕切壁側嵌合部１４６ｃと、水質浄化材１５０のケース１５３に設けられた入口部１５４を内嵌するための嵌合孔１４６ｄを内面側に形成した円環状の下流側接続部１４６ｅと、平面に形成した下面１４６ｆとを有する。
【００４１】
原水側の弁座抑え１４７は、図４５に示すように、弁座１４５の中央部に穿設された孔１４５ａと同じ径の孔１４７ａを穿設した環状の部材で、弁座１４５の拡径部１４５ｆに嵌合するため最上端に突出した円環状の上流側接続部１４７ｂと、上端に上流側接続部１４７ｂを突出するとともに仕切枠部材１８１の仕切壁１８１ｂに設けられた弁座抑え嵌合孔１８１ｎに内嵌する形状と大きさとを有する外形を形成した仕切壁側嵌合部１４７ｃと、平面に形成した下面１４７ｄとを有する。
【００４２】
水質浄化材１５０のケース１５３は、図４６に示すように、蓋１５３ａを円板状の終端縁から下方に環状の突出縁１５３ｃを突設するとともに中心から放射方向に浄水側の弁座嵌合孔１８１ｊが穿設された位置と同じ距離にある位置にフランジ付きの短い管状に形成された入口部１５４を突設した形状に形成する。
そして、図４７に示すように、ケース本体１５３ｂを有底円筒形状に形成し、その底面１５３ｄには均一な間隔で多数の孔１５３ｅを穿設して、浄化材１５１（図７参照）を透過した浄水が容易に流出できるように形成する。
【００４３】
仕切枠部材１８１の下端部に螺合されて頭部１２０に組み付けられる仕切板１７０は、図４８，４９に示すように、円盤状仕切板１７０ａの各面側の外周縁に短い円筒状の環状部材１７０ｂ，１７０ｃを突設し、円盤状仕切板１７０ａの中央部にはシャワー吐出側またはストレート吐出側への入口部へ移行するための集合通過部材１７１（図５０，５１参照）を嵌合する嵌合孔１７０ｄを穿設し、円盤状仕切板１７０ａの嵌合孔穿設位置の外周側に水質浄化材１５０のケース本体１５３ｂに穿設された多数の孔１５３ｅの外周よりも大きな径を有する環状のリブ１７０ｅを突出し、そのリブ１７０ｅの上部に周上等間隔の４ヶ所にケース本体１５３ｂを載置させるための突出部１７０ｆ，…，１７０ｆを突設する。
【００４４】
そして、外周縁の上側の環状部材１７０ｂには、仕切枠部材１８１の下端部に形成された雌ねじ１８１ｏに螺合する雄ねじ１７０ｇを外周面に形成し、ねじ形成箇所の下側にＯリング溝１７０ｈを形成し、また、外周縁の下側の環状部材１７０ｃには、外周面に条数２の多条雄ねじ１７０ｉを形成してシャワープレート１３０を螺合できるようにし、ねじ形成箇所の上部にはＯリング溝１７０ｊを形成して漏れ止めできるようにする。
嵌合孔１７０ｄは、径が２段に分けられて、上部には円形の軸方向に対して同一径の孔が形成され、下部には軸方向下方に向けて縮径される孔に形成され、それらの中間には段差を設けて上方から集合通過部材１７１を嵌め込めるように形成する。
【００４５】
集合通過部材１７１は、図５０〜５２に示すように、鍔側の端面を浅く削り込んで外縁付き平面形にした有鍔円柱の円柱部１７１ａに、環状の溝１７１ｂを鍔側の浅く削り込んだ端面から軸方向に深くかつ貫通しない程度に刻設し、環状の溝１７１ｂの外周に外側の先端部が鍔部１７１ｄにまで達する多数の光芒１７１ｃを刻設し、この光芒１７１ｃを有する環状の溝１７１ｂを設けた円柱部１７１ａの外径を鍔部１７１ｄの外径よりも小さくして、光芒１７１ｃの外側の下端部が側方に開口した形状に形成する。
この集合通過部材１７１は円柱部１７１ａと鍔部１７１ｄの外形寸法を仕切板１７０の嵌合孔１７０ｄに嵌め込むことができる外径にし、円柱部１７１ａの側面に形成された開口が仕切板１７０の嵌合孔１７０ｄに形成された下方に縮径される孔の位置に達するように軸方向の寸法を調節して、開口から径方向外下方へ流出する原水または浄水を縮径される孔により中心部下方に集中するように流出させる。
【００４６】
仕切板１７０の下側の環状部材１７０ｃに螺着する吐出面形成部材としてのシャワープレート１３０は、図５３〜５６に示すように、平板状の円板部１３０ｃとその外周縁を立ち上げて形成した張出部１３０ｄを形成し、円板部１３０ｃの中央部にストレート吐出口１３０ｂを穿設し、このストレート吐出口１３０ｂに隣接して吐出切換弁１６０の弁軸１６２（図５８参照）を貫通させて軸支する軸孔１３０ｅを穿設し、ストレート吐出口１３０ｂと軸孔１３０ｅとを除いた面のストレート吐出口１３０ｂの周囲にシャワー吐出口１３０ａとなる小孔を多数個略均等な間隔で穿設する。
【００４７】
このシャワープレート１３０は、各孔を穿設した円板部１３０ｃの張出部形成側を混合水の流入側（上流側）とし、張出部１３０ｄの内周面側には条数が２の多条雌ねじ１３０ｆを形成して、仕切板１７０に設けた多条雄ねじ１７０ｉに螺合できるようにする。
また、張出部１３０ｄの上端部の内側には拡径した段差部１３０ｇを設けてＯリング溝を被う押圧面を形成し、仕切板１７０のＯリング溝１７０ｊに取り付けたＯリング（図４参照）を外側から押圧して仕切板１７０との螺合時に漏止めができるようにする。
さらに、ストレート吐出口１３０ｂの上部には、ストレート吐出用流路形成部材１３１（図５７参照）を嵌合させる凹部１３０ｈを設け、シャワープレート中央部にストレート吐出用流路形成部材１３１を立設して、ストレート吐出側の流路（ストレート吐出流路１３１ａ）とシャワー吐出側の流路（シャワー吐出面上流側空間１３０ｉ）とを仕切ることができるようにする。
【００４８】
さらにまた、張出部１３０ｄの外周面には、軸孔１３０ｅを設けた位置の外周側に、軸孔穿設位置の外周面を挟むように２つの突出部１３０ｊ，１３０ｊを突設し、吐出切換弁１６０の弁軸１６２が軸孔１３０ｅを貫通して軸支されて切換レバー１６１が２つの突出部１３０ｊ，１３０ｊの間に設けられたとき、切換レバー１６１の操作範囲を２つの突出部１３０ｊ，１３０ｊの間隔によって与えられた回動角に規制できるようにする。
【００４９】
ストレート吐出用流路形成部材１３１は、図５７（Ａ），（Ｂ）に示すように、上端縁が内面側に縮径された端部を有する円筒形状に形成され、円筒部の内部がストレート吐出流路１３１ａとして利用される。
上端に形成された開口部１３１ｂの開口径が円筒部分の内径よりも小さくなるように形成して、吐出切換弁１６０の弁体１６３に形成された皿部１６３ａ（図５９参照）を載置し易くする。また、下端部の外径はシャワープレート１３０の中央部に形成された凹部１３０ｈの内径側に嵌合できる大きさを有し、嵌合後にシャワープレート１３０の中央部に立設できるように嵌合状態が緊密になるように形成する。
【００５０】
吐出切換弁１６０は、シャワープレート１３０の円板部１３０ｃを貫通した軸回りに回動自在に支持される弁軸１６２を一体に設けた切換レバー１６１（図５８）と、集合通過部材１７１とストレート吐出用流路形成部材１３１との間に設けられた隙間に配置できるように上面を浅い凹面に形成した薄い皿状に形成した弁体１６３（図５９）とに分割される。
【００５１】
弁軸１６２と一体化された切換レバー１６１は、図５８（Ａ）〜（Ｅ）に示すように、弁軸１６２に対して垂直な方向にレバー部１６１ｂを延設し、その操作片であるレバー部１６１ｂの先端にレバー回動方向に対して略垂直な面を形成する指掛け部１６１ｃには両面側にそれぞれ凹部１６１ｄを形成して指の係止を容易にする。弁軸１６２の先端には、弁体側に形成された嵌合孔１６３ｄ（図５９参照）に挿入して弁体１６３と結合し、結合後の抜けを防止するための拡張側に付勢されている断面が矩形に形成された弾性係止部１６２ａ，１６２ａを突出させる。
【００５２】
弁体１６３は、図５９（Ａ）〜（Ｅ）および図６０に示すように、上面を浅い凹面に形成した薄い皿状に形成し、下面を板厚分長くした曲率半径により湾曲した凸面に形成した皿部１６３ａと、この皿部１６３ａから一方向へ延設したアーム部１６３ｂと、このアーム部１６３ｂの先端部に弁軸側の弾性係止部１６２ａ，１６２ａを挿入して内嵌する矩形断面の嵌合孔１６３ｄを穿設した軸結合部１６３ｃとからなる。
弁軸１６２側の弾性係止部１６２ａ，１６２ａを軸結合部１６３ｃの嵌合孔１６３ｄに挿入する際、シャワープレート１３０に形成された軸孔１３０ｅに外方（下流側）から弾性係止部１６２ａ，１６２ａを挿入して、軸孔１３０ｅに弁軸１６２を嵌合し、その後、弁体１６３側の嵌合孔１６３ｄに弾性係止部１６２ａ，１６２ａを抜け防止可能になるまで挿入して、弁体１６３と切換レバー１６１とをシャワープレート１３０に組み付けるとともに吐出切換弁１６０を一体に結合する。
【００５３】
〔作用効果〕
このように構成した実施の形態においては、頭部１２０に組み込まれている押しボタン１４１を操作することにより、押しボタン１４１が頭部１２０より突き出ている状態（浅い押込量）では浄化された混合水が流出し、押しボタン１４１が頭部１２０に入り込んで突き出ている量が少なくなっている状態（深い押込量）では原水が流出する。
【００５４】
まず、浄化された混合水が流出している時、さらに押しボタン１４１を押すと、押しボタン１４１に当接している第２切換こま１８６が第１切換こま１８５を押し、第１切換こま１８５から二連プッシュロッド１８３へ押圧力を伝達して、コイルスプリング１８８の付勢力に抗して二連プッシュロッド１８３を仕切枠部材１８１の壁面１８１ｅに近接する方向へ移動していく。
この時、第１切換こま１８５が切換リング１８４の溝１８４ｄを抜ける方向へ摺動して、その溝１８４ｄから外れるまで移動すると、第２切換こま１８６に押されている第１切換こま１８５は第２切換こま１８６と第１切換こま１８５との当接部の形状に従って密着する向きに変わるように動いて結果として回転し、第１切換こま１８５と切換リング１８４との相対的な位置を変更するとともに、浄水側遮断弁１４２を閉じ、原水側遮断弁１４３を開いて、図６１〜６５に示すように、非浄化混合水の流出に切り換える。
流出する混合水が非浄化混合水になると、コイルスプリング１８８の付勢力によって遊び分だけ二連プッシュロッド１８３を戻し、第１切換こま１８５に設けられたリブ１８５ｃの端部が切換リング１８４に刻設された浅い溝１８４ｅ側に当接して位置固定する。
【００５５】
また、押しボタン１４１を押して、押しボタン１４１に当接している第２切換こま１８６から第１切換こま１８５、さらに二連プッシュロッド１８３へ押圧力を伝達することにより、再度、コイルスプリング１８８の付勢力に抗して二連プッシュロッド１８３を仕切枠部材１８１の壁面１８１ｅに近接する方向へ移動させると、第１切換こま１８５に設けられたリブ１８５ｃの端部が切換リング１８４に刻設された浅い溝１８４ｅとの係合を外し、第２切換こま１８６に押されている第１切換こま１８５が、第２切換こま１８６と第１切換こま１８５との当接部の形状に従って密着する向きに変わるように動いて結果として回転し、第１切換こま１８５と切換リング１８４との相対的な位置を変更する。
【００５６】
これにより、切換リング１８４の軸方向に深い溝１８４ｆに第１切換こま１８５に設けられたリブ１８５ｃが入り、コイルスプリング１８８の付勢力によって、第１切換こま１８５に設けられたリブ１８５ｃを切換リング１８４の深い溝１８４ｆに沿って仕切枠部材１８１の壁面１８１ｅから離間する方向へ摺動させることになり、第１切換こま１８５に当接している二連プッシュロッド１８３を仕切枠部材１８１の壁面１８１ｅから離間する方向へ移動させて、原水側遮断弁１４３を閉じ、浄水側遮断弁１４２を開いて、図６〜１０に示すように、浄化混合水の流出に切り換える。
【００５７】
また、シャワー吐出している場合に、押しボタン１４１の操作とは独立に、切換レバー１６１を操作して弁軸１６２を中心に回動すると、弁体１６３がストレート吐出用流路形成部材１３１の開口部１３１ｂから外れ、集合通過部材１７１からでる混合水がストレート吐出用流路形成部材１３１の開口部１３１ｂへ流入し、ストレート吐出口１３０ｂから流出するようになる。
さらに、ストレート吐出している場合に、切換レバー１６１を反対方向へ操作して、弁軸１６２を中心に逆回りに回動すると、弁体１６３がストレート吐出用流路形成部材１３１の開口部１３１ｂに覆い被さり、集合通過部材１７１からでる混合水がストレート吐出用流路形成部材１３１の開口部１３１ｂへ流入することを阻止して、シャワー吐出面上流側空間１３０ｉへ流入し、シャワー吐出するようになる。
【００５８】
このような実施の形態では、水質を切り換えるための遮断弁１４２，１４３からなる流路切換弁の制約を頭部１２０に組込可能な範囲まで広げることができて、流路切換弁１４０の大きさの制約が大幅に緩和でき、頭部１２０側で流路切換弁１４０の操作が可能になったことにより操作性を良くすることができる。また、簡易な浄水型シャワーヘッドとして、頭部１２０と把持部１１０とが共に形良く成形でき、また、利用性の高い構造にすることができる。
【００５９】
流路切換弁１４０は、浄水側遮断弁１４２と原水側遮断弁１４３とが同じ押しボタン１４１によって交互に流路を遮断する交互切換式遮断弁となっているため、頭部１２０に突出した押しボタン１４１を押すことにより、浄化混合水と非浄化混合水とを切り換えて使用でき、操作性が向上する。
また、交互切換式遮断弁の浄水側遮断弁１４２と原水側遮断弁１４３とがそれぞれ球状弁体１４２ａ，１４３ａであるため、弁閉時には、球状弁体１４２ａ，１４３ａに加えられる水圧が、コイルスプリング１４２ｃ，１４３ｃの付勢力とともに、球状弁体１４２ａ，１４３ａを弁座１４４，１４５に押し付けるように作用して、確実にシールすることができるようになる。
【００６０】
吐出切換弁１６０が、レバー操作の遮断弁に形成されているため、浄水側遮断弁１４２と原水側遮断弁１４３とのどちらが開いた場合であっても、シャワー吐出とストレート吐出とを選択でき、利便性を向上することができる。
この浄水機能付きシャワーヘッド１００は、台所の他、洗面所や風呂場等でも用いることができ、汎用性が非常に高いものとなる。
【００６１】
〔第２実施形態〕
第１実施形態の浄水機能付きシャワーヘッド１００は浄水と原水とを切り換える流路切換弁と、ストレート吐出とシャワー吐出とを切り換える吐出切換弁とを備えているが、この第２実施形態の浄水機能付きシャワーヘッド２００では、図６６〜６８に示すように、吐出切換弁を省略して流路切換弁のみ備え、吐出には浄水側と原水側とで専用の吐出口を備えるように構成している点が異なる。
以下の説明では、流路の構成に係る部材以外の個々の部材については第１実施例と同じ構成にして、頭部１２０に設けた押しボタン１４１を操作することによって浄水と原水とを切り換えるシャワーヘッドを形成するため、第１実施形態における部材と同じ構成の部材については同じ番号または数字の下２桁を合わせるように付して説明を省略する。
【００６２】
〔構成〕
この浄水機能付きシャワーヘッド２００は、図６９〜７０に示すように、把持部２１０が頭部２２０側に位置する筒部２１１と、ホース接続側の筒部２１２と、これらを着脱自在かつ一体的に組み合わせるねじ部を有する中継部２１３とを有し、流路切換弁を内蔵する頭部２２０には押しボタン２４１を突出し、把持部２１０の混合水栓接続側にホース接続部２１４を形成し、ホース接続部２１４の先端部にホース取付ねじ２１５を設けてホースとの着脱を容易にし、ホース接続部２１４の外周側には軸方向に沿って突出した板状の突起部２１４ａを突出する。また、シャワープレート２３０のシャワー吐出側には吐出切換弁が設けられていないため操作部材は突出しない。
そして、頭部２２０には、下流側に浄水流路と原水流路とを各別に接続する浄水側遮断弁２４２と原水側遮断弁２４３とを備えた流路切換弁（水質切換弁）２４０を内蔵し、押しボタン２４１により流路切換弁２４０の浄水側遮断弁２４２と原水側遮断弁２４３とを同時に操作できるようにしている。
【００６３】
流路切換弁２４０の下流側には、浄水側遮断弁２４２の下流側に水質浄化材２５０を配置し、この水質浄化材２５０の下流側に仕切板２７０を設け、仕切板２７０の中央部に集合通過部材２７１を設け、仕切板２７０の集合通過部材２７１の下流側にストレート吐出路２３１を垂下して、水質浄化材２５０を透過した混合水が集合通過部材２７１を介してストレート吐出路２３１に流出し、シャワープレート２３０に形成されたストレート吐出口２３０ｂから外部へ流出する流路を形成し、そして、原水側遮断弁２４３の下流側に、水質浄化材２５０の下流側に設けた仕切板２７０の水質浄化材２５０の配置位置の外周側に対応する周辺部に複数個の孔２７２を穿設して、水質浄化材２５０の外周側に形成された空間２２０ａとシャワー吐出路２３０ｉとを連通し、原水側遮断弁２４３から流出する混合水が水質浄化材２５０の外周側の空間２２０ａを通過して仕切板２７０の周辺部に穿設された複数個の孔２７２を介してシャワー吐出路２３０ｉに流出し、シャワープレート２３０に形成されたシャワー吐出口２３０ａから外部へ流出する流路を形成する。
【００６４】
頭部２２０の内部には、図７１〜７５の拡大部分断面図に示すように、流路切換弁２４０が弁座下流側に浄水側流路を形成する浄水側遮断弁２４２と、弁座下流側に原水側流路を形成する原水側遮断弁２４３との２つの遮断弁を備え、流路切換弁２４０に形成される浄水側遮断弁２４２と原水側遮断弁２４３とは、それぞれ対応する浄水側弁座開口位置と原水側弁座開口位置とが、押しボタン２４１の移動方向に対して相対的にずらし、１つの押しボタンによって同時に浄水側遮断弁２４２と原水側遮断弁２４３との２つの遮断弁が操作できるように形成し、押しボタン２４１の押込み量によっていずれか一方の弁が閉じられるように配置される。
【００６５】
この頭部２２０では、組み込まれた浄水側遮断弁２４２と原水側遮断弁２４３との入口（弁入口部）側に把持部２１０の内部の空洞が連通して原水が流入するようになり、押しボタン２４１によって同時に操作される流路切換弁２４０の浄水側遮断弁２４２と原水側遮断弁２４３との下流側に形成された流路が浄水流路と原水流路とに分かれる。
浄水側遮断弁２４２の出口側流路は浄化材２５１を収容したケース２５３の内部に連通して混合水を浄化する浄水流路の一部を形成し、原水側遮断弁２４３の出口側流路は浄化材２５１を収容したケース２５３の外側に形成された流路に連通して浄化せずに通過する原水流路の一部を形成する。
浄水側遮断弁２４２の出口（下流）側には水質浄化材２５０のケース２５３の蓋側に形成された入口部２５４が嵌着され、混合水が浄水側遮断弁２４２を通過した後、入口部２５４を経由して水質浄化材２５０の（上流側の）フィルタ２５２、浄化材２５１、さらに（下流側の）フィルタ２５２を通過し、この間に微細な固形物質が濾過され、化学成分が吸着される。
【００６６】
水質浄化材２５０の下流側には、中央部に集合通過部材２７１を設けて混合水が周囲から中心部に集合してストレート吐出路２３１の真上から流出するように形成した仕切板２７０を配置し、この仕切板２７０が設けられた下流にはストレート吐出路２３１が垂下し、集合通過部材２７１を流出した浄水がストレート吐出路２３１の入口部を通過してストレート吐出口２３０ｂから外部へ流出する。
また、原水側遮断弁２４３の下流側には、水質浄化材２５０のケース２５３を頭部２２０の内面よりも小さくして間隙が生じるように形成してケース２５３の外側を通過する流路を形成し、仕切板２７０の周辺部に周上等間隔に孔２７２，…，２７２を穿設して、原水側遮断弁２４３から流出した原水がケース２５３の外側から孔２７２，…，２７２を通過してシャワー吐出路２３０ｉに流出できるように形成する。
【００６７】
水質浄化材２５０のケース２５３は、円板状の蓋２５３ａと有底円筒状のケース本体２５３ｂとからなり、蓋２５３ａには終端縁から下方に環状の突出縁を突設するとともに中心から放射方向に浄水側の弁座嵌合孔が穿設された位置と同じ距離にある位置にフランジ付きの短い管状に形成された入口部２５４を突設した形状に形成する。
そして、ケース本体２５３ｂは、図７６，７７に示すように、有底円筒形状に形成し、その底面２５３ｄには均一な間隔で多数の孔２５３ｅを穿設し、仕切板２７０に形成された嵌合リング２７０ｆ（図７９参照）に内嵌する外径を有する嵌合部２５３ｆを下面側に突出し、その外周面にＯリング溝２５３ｇを刻設して、浄化材２５１を透過した浄水が容易に仕切板２７０の上面側に流出できるように形成する。
【００６８】
頭部２２０の吐出側と切換弁組込側との境界を仕切る仕切板２７０は、図７８〜８０に示すように、円板状仕切板２７０ａを形成し、この円板状仕切板２７０ａの各面側の外周縁に短い円筒状の環状部材２７０ｂ，２７０ｃを突設し、上面側に水質浄化材のケース本体２５３ｂの下端部を内嵌する嵌合リング２７０ｆを突設し、円板状仕切板２７０ａの中央部にはストレート吐出側へ移行するための入口部となる集合通過部材２７１の嵌合孔２７０ｄを穿設し、この嵌合孔２７０ｄの穿設位置の下面側にシャワープレート２３０のストレート吐出口上面の嵌合部に下端を嵌合するストレート吐出路２３１を垂下し、環状部材２７０ｃと嵌合リング２７０ｆとの間に円板状仕切板２７０ａを貫通する孔２７２を周上等間隔に多数個穿設する。
嵌合孔２７０ｄは、径が２段に分けられて、上部には円形の軸方向に対して同一径の孔が形成され、下部には軸方向下方に向けて縮径される孔に形成され、それらの中間には段差を設けて上方から集合通過部材２７１を嵌め込めるように形成する。
【００６９】
仕切板２７０の下端部に螺着する吐出面形成部材としてのシャワープレート２３０は、図８１，８２に示すように、平板状の円板部２３０ｃとその外周縁を立ち上げて形成した張出部２３０ｄを形成し、円板部２３０ｃの中央部にストレート吐出口２３０ｂを穿設し、このストレート吐出口２３０ｂの周囲にシャワー吐出口２３０ａとなる小孔を多数個略均等な間隔で穿設する。
このシャワープレート２３０は、各孔を穿設した円板部２３０ｃの張出部形成側を混合水の流入側（上流側）とし、仕切板２７０の下端部に螺着できるようにする。
さらに、ストレート吐出口２３０ｂの上部には、ストレート吐出路２３１を嵌合させる凹部２３０ｈを設け、シャワープレート中央部にストレート吐出路２３１を立設して、ストレート吐出側とシャワー吐出側との流路を仕切ることができるようにする。
【００７０】
〔作用効果〕
このように構成した第２実施形態においては、頭部２２０に組み込まれている押しボタン２４１を操作することにより、押しボタン２４１が頭部２２０より突き出ている状態（浅い押込量）では浄化された混合水が流出し、押しボタン２４１が頭部２２０に入り込んで突き出ている量が少なくなっている状態（深い押込量）では原水が流出する。
【００７１】
まず、浄水が流出している時、さらに押しボタン２４１を押すと、図８３〜８７に示すように、浄水側遮断弁２４２を閉じ、原水側遮断弁２４３を開いて、原水の流出に切り換える。流出する混合水が原水に切り換わると、押しボタン２４１を位置固定する。
また、押しボタン２４１を押して、図７１〜７５に示すように、原水側遮断弁２４３を閉じ、浄水側遮断弁２４２を開いて、浄水の流出に切り換える。
【００７２】
このような第２実施形態では、ストレート吐出口２３０ｂが浄水吐出口を形成し、シャワー吐出口２３０ａが原水吐出口を形成しているため、浄水吐出と原水吐出との区別が容易にでき、また、浄水吐出では吐出切換を行うことなく吐出でき、識別性、視認性および操作性が向上する。
さらに、流路切換弁２４０の浄水側遮断弁２４２と原水側遮断弁２４３とが同じ押しボタン２４１によって交互に流路を遮断する交互切換式遮断弁となっており、かつ、浄水・原水吐出での押しボタン２４１の押込位置を異ならせているため、頭部２２０に突出した押しボタン２４１を押すことにより、浄水と原水とが混同することなく利用でき、操作性を一層向上させることができる。
また、交互切換式遮断弁の浄水側遮断弁２４２と原水側遮断弁２４３とがそれぞれ球状弁体２４２ａ，２４３ａであるため、弁閉時には、球状弁体２４２ａ，２４３ａに加えられる水圧が、コイルスプリング２４２ｃ，２４３ｃの付勢力とともに、球状弁体２４２ａ，２４３ａを弁座２４４，２４５に押し付けるように作用して、確実にシールすることができる。
【００７３】
【発明の効果】
以上のように本発明における請求項１に係る浄水機能付きシャワーヘッドでは、シャワー吐出口を有する頭部と、他部品との接続端を備えるとともに直接手で持つことができる大きさに形成された把持部とを備え、前記頭部に、水質浄化材を交換可能に収容するとともにこの水質浄化材を通過し水質を浄化して吐出する浄水流路と前記水質浄化材を通過せずに吐出する原水流路とを形成し、前記浄水流路と前記原水流路とを切り換える流路切換弁を設け、この流路切換弁の操作機構に設けられた操作端を押しボタンに形成して前記頭部の外部に突出したことにより、頭部の外部から押しボタンを操作して流路切換弁を動作させて、容易かつ迅速に浄水と原水との吐出を切換えることができ、操作性を向上することができる。
また、筒状の仕切りで囲まれた水質浄化材を通過する浄水路と、この浄水流路の外周に周設され前記水質浄化材を通過せずに吐出する原水流路とを形成したことにより、浄水流路および原水流路が形成される頭部をコンパクトにすることができる。
【００７４】
また、請求項２に係る浄水機能付きシャワーヘッドでは、前記流路切換弁を前記水質浄化材の上流側に配置したことにより、構成を簡素化でき、各部品を効果的に配置できて、製造を容易にし、コストを低減化することができる。
また、請求項３に係る浄水機能付きシャワーヘッドでは、前記流路切換弁が前記押しボタンによって交互に流路を遮断する浄水用遮断弁と原水用遮断弁とを併設した交互切換式遮断弁に形成されたことにより、押しボタン操作によって浄水か原水のいずれか一方が吐出し、切換えを容易且つ確実に行うことができる。
また、請求項４に係る浄水機能付きシャワーヘッドでは、前記交互切換式遮断弁の浄水用遮断弁と原水用遮断弁とがそれぞれ球形弁体を具備した遮断弁として形成されたことにより、弁体と弁座との間のシールがより確実に行われるようになるとともに切換操作が軽快にでき、操作力が小さくても容易に切り換えることができる。
【００７５】
また、請求項５に係る浄水機能付きシャワーヘッドでは、前記頭部には前記シャワー吐出口とストレート吐出口とを併設し、前記シャワー吐出口からの吐出と前記ストレート吐出口からの吐出とを切り換える吐出切換弁を組み込んだことにより、浄水と原水とのいずれについてもシャワー吐出とストレート吐出とが選択でき、吐出形態の選択幅を広げ、利便性を向上することができる。
また、請求項６に係る浄水機能付きシャワーヘッドでは、前記吐出切換弁が前記頭部の外側から切換可能に形成された操作部を備えた吐出切換弁として形成されたことにより、頭部の外側から操作部を操作して吐出切換弁を容易に切り換えることができ、操作性を向上することができる。
また、請求項７に係る浄水機能付きシャワーヘッドでは、前記水質浄化材の下流側で前記原水流路と前記浄水流路とを合流させ、この合流した流路の出口の直下に前記ストレート吐出口を位置させて、前記吐出切換弁の弁体に前記ストレート吐出口を開閉させ、かつ、前記吐出切換弁の弁体を、上面を浅い凹面とし、下面を凸面とする皿状に形成したことにより、吐出切換弁を簡素化してコンパクトにするとともに、ストレート吐出口を確実に開閉して、シャワー吐出とストレート吐出とを確実に切り換えることができる。
【図面の簡単な説明】
【図１】本発明の第１実施形態における浄水機能付きシャワーヘッドを示す正面図である。
【図２】同上浄水機能付きシャワーヘッドを示す側面図である。
【図３】同上浄水機能付きシャワーヘッドを示す平面図である。
【図４】同上浄水機能付きシャワーヘッドを示す側面断面図（図１のＡ−Ａ矢視図）である。
【図５】同上浄水機能付きシャワーヘッドを示す平面断面図（図４のＢ−Ｂ矢視図）である。
【図６】同上浄水機能付きシャワーヘッドの浄水吐出状態における頭部を示す拡大平面断面図である。
【図７】同上浄水機能付きシャワーヘッドの頭部を浄水側遮断弁の位置で示す拡大側面断面図（図６のＣ−Ｃ矢視図）である。
【図８】同上浄水機能付きシャワーヘッドの頭部を原水側遮断弁の位置で示す拡大側面断面図（図６のＤ−Ｄ矢視図）である。
【図９】同上浄水機能付きシャワーヘッドの頭部を浄水側遮断弁の位置で示す拡大斜め正面断面図（図６のＥ−Ｅ矢視図）である。
【図１０】同上浄水機能付きシャワーヘッドの頭部を原水側遮断弁の位置で示す拡大斜め正面断面図（図６のＦ−Ｆ矢視図）である。
【図１１】同上浄水機能付きシャワーヘッドの頭部単体を示す拡大下平面図である。
【図１２】同上浄水機能付きシャワーヘッドの頭部単体を示す拡大側面断面図（図１１のＧ−Ｇ矢視図）である。
【図１３】同上浄水機能付きシャワーヘッドの頭部単体を示す拡大正面断面図（図１１のＨ−Ｈ矢視図）である。
【図１４】同上浄水機能付きシャワーヘッドの流路切換弁の操作機構を示す分解斜視図である。
【図１５】同上浄水機能付きシャワーヘッドの仕切枠部材を示す拡大正面図である。
【図１６】同上浄水機能付きシャワーヘッドの仕切枠部材を示す拡大側面図である。
【図１７】同上浄水機能付きシャワーヘッドの仕切枠部材を示す拡大上平面図である。
【図１８】同上浄水機能付きシャワーヘッドの仕切枠部材を示す拡大下平面図である。
【図１９】同上浄水機能付きシャワーヘッドの仕切枠部材をプッシュロッド軸芯位置で示す拡大平面断面図（図１５のＩ−Ｉ矢視図）である。
【図２０】同上浄水機能付きシャワーヘッドの仕切枠部材を押しボタン中心位置で示す拡大側面断面図（図１７のＪ−Ｊ矢視図）である。
【図２１】同上浄水機能付きシャワーヘッドの仕切枠部材を浄水側遮断弁の中心位置で示す拡大側面断面図（図１７のＫ−Ｋ矢視図）である。
【図２２】同上浄水機能付きシャワーヘッドの仕切枠部材を原水側遮断弁の中心位置で示す拡大側面断面図（図１７のＬ−Ｌ矢視図）である。
【図２３】同上浄水機能付きシャワーヘッドのプッシュロッド案内部材を示す拡大正面図である。
【図２４】同上浄水機能付きシャワーヘッドのプッシュロッド案内部材を示す拡大右側面図である。
【図２５】同上浄水機能付きシャワーヘッドのプッシュロッド案内部材を示す拡大平面図である。
【図２６】同上浄水機能付きシャワーヘッドのプッシュロッド案内部材を示す拡大背面図である。
【図２７】同上浄水機能付きシャワーヘッドのプッシュロッド案内部材を示す拡大平面断面図（図２３のＭ−Ｍ矢視図）である。
【図２８】同上浄水機能付きシャワーヘッドのプッシュロッド案内部材を示す拡大側面断面図（図２５のＮ−Ｎ矢視図）である。
【図２９】同上浄水機能付きシャワーヘッドの二連プッシュロッドを示す拡大正面図である。
【図３０】同上浄水機能付きシャワーヘッドの二連プッシュロッドを示す拡大側面図である。
【図３１】同上浄水機能付きシャワーヘッドの二連プッシュロッドを示す拡大平面図である。
【図３２】同上浄水機能付きシャワーヘッドの二連プッシュロッドを示す拡大背面図である。
【図３３】同上浄水機能付きシャワーヘッドの二連プッシュロッドを示す拡大平面断面図（図２９のＯ−Ｏ矢視図）である。
【図３４】同上浄水機能付きシャワーヘッドの切換リングを示す拡大説明図であり、（Ａ）は側面図、（Ｂ）は正面図、（Ｃ）は背面図、（Ｄ）は上平面図、（Ｅ）は下平面図である。
【図３５】同上浄水機能付きシャワーヘッドの第１切換こまを示す拡大説明図であり、（Ａ）は側面図、（Ｂ）は正面図、（Ｃ）は背面図、（Ｄ）は上平面図、（Ｅ）は下平面図である。
【図３６】同上浄水機能付きシャワーヘッドの第２切換こまを示す拡大説明図であり、（Ａ）は側面図、（Ｂ）は正面図、（Ｃ）は背面図、（Ｄ）は平面図である。
【図３７】同上浄水機能付きシャワーヘッドの押しボタンを示す拡大説明図であり、（Ａ）は正面図、（Ｂ）は側面図、（Ｃ）は平面図である。
【図３８】同上浄水機能付きシャワーヘッドの押しボタンを示す拡大背面図である。
【図３９】同上浄水機能付きシャワーヘッドの押しボタンを示す拡大平面断面図（図３７（Ａ）のＰ−Ｐ矢視図）である。
【図４０】同上浄水機能付きシャワーヘッドの流路切換弁における弁を示す拡大分解斜視図である。
【図４１】同上浄水機能付きシャワーヘッドの弁体支持部材を示す拡大説明図であり、（Ａ）は側面図、（Ｂ）は正面図、（Ｃ）は背面図、（Ｄ）は上平面図、（Ｅ）は下平面図である。
【図４２】同上浄水機能付きシャワーヘッドの弁体支持部材を示す拡大側面断面図（図４１（Ｂ）のＱ−Ｑ矢視図）である。
【図４３】同上浄水機能付きシャワーヘッドの弁座を示す拡大説明図であり、（Ａ）は平面図、（Ｂ）は側面断面図（図４３（Ａ）のＲ−Ｒ矢視図）である。
【図４４】同上浄水機能付きシャワーヘッドの浄水側の弁座抑えを示す拡大説明図であり、（Ａ）は平面図、（Ｂ）は側面断面図（図４４（Ａ）のＳ−Ｓ矢視図）である。
【図４５】同上浄水機能付きシャワーヘッドの原水側の弁座抑えを示す拡大説明図であり、（Ａ）は平面図、（Ｂ）は側面断面図（図４５（Ａ）のＴ−Ｔ矢視図）である。
【図４６】同上浄水機能付きシャワーヘッドの水質浄化材のケースにおける蓋を示す拡大説明図であり、（Ａ）は平面図、（Ｂ）は側面断面図（図４６（Ａ）のＵ−Ｕ矢視図）である。
【図４７】同上浄水機能付きシャワーヘッドの水質浄化材のケース本体を示す拡大説明図であり、（Ａ）は平面図、（Ｂ）は側面断面図（図４７（Ａ）のＶ−Ｖ矢視図）である。
【図４８】同上浄水機能付きシャワーヘッドの仕切板を示す拡大平面図である。
【図４９】同上浄水機能付きシャワーヘッドの仕切板を示す拡大側面断面図（図４８のＷ−Ｗ矢視図）である。
【図５０】同上浄水機能付きシャワーヘッドの集合通過部材を示す拡大上平面図である。
【図５１】同上浄水機能付きシャワーヘッドの集合通過部材を示す拡大側面断面図（図５０のＸ−Ｘ矢視図）である。
【図５２】同上浄水機能付きシャワーヘッドの集合通過部材を示す拡大下平面図である。
【図５３】同上浄水機能付きシャワーヘッドのシャワープレートを示す拡大正面図である。
【図５４】同上浄水機能付きシャワーヘッドのシャワープレートを示す拡大上平面図である。
【図５５】同上浄水機能付きシャワーヘッドのシャワープレートを示す拡大下平面図である。
【図５６】同上浄水機能付きシャワーヘッドのシャワープレートを示す拡大側面断面図（図５３のＹ−Ｙ矢視図）である。
【図５７】同上浄水機能付きシャワーヘッドのストレート吐出用流路形成部材を示す拡大説明図であり、（Ａ）は平面図、（Ｂ）は縦断面図である。
【図５８】同上浄水機能付きシャワーヘッドの吐出切換弁における切換レバーを示す拡大説明図であり、（Ａ）は側面図、（Ｂ）は正面図、（Ｃ）は背面図、（Ｄ）は上平面図、（Ｅ）は下平面図である。
【図５９】同上浄水機能付きシャワーヘッドの吐出切換弁における弁体を示す拡大説明図であり、（Ａ）は側面図、（Ｂ）は正面図、（Ｃ）は背面図、（Ｄ）は上平面図、（Ｅ）は下平面図である。
【図６０】同上浄水機能付きシャワーヘッドの吐出切換弁における弁体を示す拡大側面断面図（図５９のＺ−Ｚ矢視図）である。
【図６１】同上浄水機能付きシャワーヘッドの原水吐出状態における頭部を示す拡大平面断面図である。
【図６２】同上浄水機能付きシャワーヘッドの頭部を浄水側遮断弁の位置で示す拡大側面断面図（図６１のＣ−Ｃ矢視図）である。
【図６３】同上浄水機能付きシャワーヘッドの頭部を原水側遮断弁の位置で示す拡大側面断面図（図６１のＤ−Ｄ矢視図）である。
【図６４】同上浄水機能付きシャワーヘッドの頭部を浄水側遮断弁の位置で示す拡大斜め正面断面図（図６１のＥ−Ｅ矢視図）である。
【図６５】同上浄水機能付きシャワーヘッドの頭部を原水側遮断弁の位置で示す拡大斜め正面断面図（図６１のＦ−Ｆ矢視図）である。
【図６６】本発明の第２実施形態における浄水機能付きシャワーヘッドを示す側面図である。
【図６７】同上浄水機能付きシャワーヘッドを示す平面図である。
【図６８】同上浄水機能付きシャワーヘッドを示す正面図である。
【図６９】同上浄水機能付きシャワーヘッドを示す側面断面図（図６８のＡ−Ａ矢視図）である。
【図７０】同上浄水機能付きシャワーヘッドを示す平面断面図（図６９のＢ−Ｂ矢視図）である。
【図７１】同上浄水機能付きシャワーヘッドの浄水吐出状態における頭部を示す拡大平面断面図である。
【図７２】同上浄水機能付きシャワーヘッドの頭部を浄水側遮断弁の位置で示す拡大側面断面図（図７１のＣ−Ｃ矢視図）である。
【図７３】同上浄水機能付きシャワーヘッドの頭部を原水側遮断弁の位置で示す拡大側面断面図（図７１のＤ−Ｄ矢視図）である。
【図７４】同上浄水機能付きシャワーヘッドの頭部を浄水側遮断弁の位置で示す拡大斜め正面断面図（図７１のＥ−Ｅ矢視図）である。
【図７５】同上浄水機能付きシャワーヘッドの頭部を原水側遮断弁の位置で示す拡大斜め正面断面図（図７１のＦ−Ｆ矢視図）である。
【図７６】同上浄水機能付きシャワーヘッドの水質浄化材のケース本体を示す拡大縦断面図（図７７のＶ−Ｖ矢視図）である。
【図７７】同上浄水機能付きシャワーヘッドの水質浄化材のケース本体を示す拡大下平面図である。
【図７８】同上浄水機能付きシャワーヘッドの仕切板を示す拡大上平面図である。
【図７９】同上浄水機能付きシャワーヘッドの仕切板を示す拡大側面断面図（図７８のＷ−Ｗ矢視図）である。
【図８０】同上浄水機能付きシャワーヘッドの仕切板を示す拡大下平面図である。
【図８１】同上浄水機能付きシャワーヘッドのシャワープレートを示す拡大上平面図である。
【図８２】同上浄水機能付きシャワーヘッドのシャワープレートを示す拡大側面断面図（図８１のＹ−Ｙ矢視図）である。
【図８３】同上浄水機能付きシャワーヘッドの原水吐出状態における頭部を示す拡大平面断面図である。
【図８４】同上浄水機能付きシャワーヘッドの頭部を浄水側遮断弁の位置で示す拡大側面断面図（図８３のＣ−Ｃ矢視図）である。
【図８５】同上浄水機能付きシャワーヘッドの頭部を原水側遮断弁の位置で示す拡大側面断面図（図８３のＤ−Ｄ矢視図）である。
【図８６】同上浄水機能付きシャワーヘッドの頭部を浄水側遮断弁の位置で示す拡大斜め正面断面図（図８３のＥ−Ｅ矢視図）である。
【図８７】同上浄水機能付きシャワーヘッドの頭部を原水側遮断弁の位置で示す拡大斜め正面断面図（図８３のＦ−Ｆ矢視図）である。
【符号の説明】
１００，２００  浄水機能付きシャワーヘッド
１１０，２１０  把持部
１１１，１１２，２１１，２１２  筒部
１１３，２１３  中継部
１２０，２２０  頭部
１３０，２３０  シャワープレート
１３０ａ，２３０ａ  シャワー吐出口
１３０ｂ，２３０ｂ  ストレート吐出口
１３０ｉ，２３０ｉ  シャワー吐出路
１３１，２３１  ストレート吐出用流路形成部材
１４０，２４０  流路切換弁（水質切換弁）
１４１，２４１  押しボタン
１４２，２４２  浄水側遮断弁
１４２ａ，１４３ａ  弁体
１４２ｂ，１４３ｂ  弁体支持部材
１４２ｃ，１４３ｃ  コイルスプリング
１４３，２４３  原水側遮断弁
１４４，１４５  弁座
１５０，２５０  水質浄化材
１５１，２５１  浄化材
１５２，２５２  フィルタ
１５３，２５３  ケース
１５４，２５４  入口部
１５４，２５４  入口部
１６０  吐出切換弁
１６１  切換レバー
１６３  弁体
１７０，２７０  仕切板
１７０ｅ  リブ
１７０ｆ  突出部
１７１，２７１  集合通過部材
１８１  仕切枠部材
１８２  プッシュロッド案内部材
１８３  二連プッシュロッド
１８４  切換リング
１８５  第１切換こま
１８６  第２切換こま
１８７  カム機構
１８８  コイルスプリング
２７２  孔
【図１】
0004653293.tif 000002
【図２】
0004653293.tif 000003
【図３】
0004653293.tif 000004
【図４】
0004653293.tif 000005
【図５】
0004653293.tif 000006
【図６】
0004653293.tif 000007
【図７】
0004653293.tif 000008
【図８】
0004653293.tif 000009
【図９】
0004653293.tif 000010
【図１０】
0004653293.tif 000011
【図１１】
0004653293.tif 000012
【図１２】
0004653293.tif 000013
【図１３】
0004653293.tif 000014
【図１４】
0004653293.tif 000015
【図１５】
0004653293.tif 000016
【図１６】
0004653293.tif 000017
【図１７】
0004653293.tif 000018
【図１８】
0004653293.tif 000019
【図１９】
0004653293.tif 000020
【図２０】
0004653293.tif 000021
【図２１】
0004653293.tif 000022
【図２２】
0004653293.tif 000023
【図２３】
0004653293.tif 000024
【図２４】
0004653293.tif 000025
【図２５】
0004653293.tif 000026
【図２６】
0004653293.tif 000027
【図２７】
0004653293.tif 000028
【図２８】
0004653293.tif 000029
【図２９】
0004653293.tif 000030
【図３０】
0004653293.tif 000031
【図３１】
0004653293.tif 000032
【図３２】
0004653293.tif 000033
【図３３】
0004653293.tif 000034
【図３４】
0004653293.tif 000035
【図３５】
0004653293.tif 000036
【図３６】
0004653293.tif 000037
【図３７】
0004653293.tif 000038
【図３８】
0004653293.tif 000039
【図３９】
0004653293.tif 000040
【図４０】
0004653293.tif 000041
【図４１】
0004653293.tif 000042
【図４２】
0004653293.tif 000043
【図４３】
0004653293.tif 000044
【図４４】
0004653293.tif 000045
【図４５】
0004653293.tif 000046
【図４６】
0004653293.tif 000047
【図４７】
0004653293.tif 000048
【図４８】
0004653293.tif 000049
【図４９】
0004653293.tif 000050
【図５０】
0004653293.tif 000051
【図５１】
0004653293.tif 000052
【図５２】
0004653293.tif 000053
【図５３】
0004653293.tif 000054
【図５４】
0004653293.tif 000055
【図５５】
0004653293.tif 000056
【図５６】
0004653293.tif 000057
【図５７】
0004653293.tif 000058
【図５８】
0004653293.tif 000059
【図５９】
0004653293.tif 000060
【図６０】
0004653293.tif 000061
【図６１】
0004653293.tif 000062
【図６２】
0004653293.tif 000063
【図６３】
0004653293.tif 000064
【図６４】
0004653293.tif 000065
【図６５】
0004653293.tif 000066
【図６６】
0004653293.tif 000067
【図６７】
0004653293.tif 000068
【図６８】
0004653293.tif 000069
【図６９】
0004653293.tif 000070
【図７０】
0004653293.tif 000071
【図７１】
0004653293.tif 000072
【図７２】
0004653293.tif 000073
【図７３】
0004653293.tif 000074
【図７４】
0004653293.tif 000075
【図７５】
0004653293.tif 000076
【図７６】
0004653293.tif 000077
【図７７】
0004653293.tif 000078
【図７８】
0004653293.tif 000079
【図７９】
0004653293.tif 000080
【図８０】
0004653293.tif 000081
【図８１】
0004653293.tif 000082
【図８２】
0004653293.tif 000083
【図８３】
0004653293.tif 000084
【図８４】
0004653293.tif 000085
【図８５】
0004653293.tif 000086
【図８６】
0004653293.tif 000087
【図８７】
0004653293.tif 000088